(57)【要約】【課題】印刷エンジンを設計時の階調特性に戻す。【解決手段】画像データの各画素の入力階調値に対応する画像再生データをスクリーンガンマテーブルに基づき出力するスクリーン処理部と、画像再生データに従って感光体ドラム上に画像を形成する印刷エンジンと、感光体ドラム上に形成された画像の濃度を読み取るセンサと、基準画像の濃度をセンサで読み取ったセンサ値と印刷媒体上の基準画像の濃度を測定した紙上濃度値との対応テーブルであるセンサ値−紙上濃度変換テーブルと、センサ値とセンサ値−紙上濃度変換テーブルに基づきスクリーンガンマテーブルを補正する補正部と、を有する画像形成システムにおいて、センサ値を画像形成システムからホストコンピュータに転送し、基準画像を印刷媒体に印刷した後、紙上濃度値をホストコンピュータに入力することにより、ホストコンピュータによりセンサ値−紙上濃度変換テーブルが再作成、転送され更新される。【選択図】図４
2007259188.tif 000002
【特許請求の範囲】
【請求項１】
画像データの各画素の入力階調値に対応する画像再生データをスクリーンガンマテーブ
ルに基づき出力するスクリーン処理部と、
前記画像再生データに従って感光体ドラム上に画像を形成し前記感光体ドラム上もしく
は中間転写媒体上の前記画像を印刷媒体に印刷する印刷エンジンと、
前記感光体ドラム上もしくは前記中間転写媒体上に形成された画像の濃度を読み取るセ
ンサと、
前記感光体ドラム上もしくは前記中間転写媒体上に形成した基準画像の濃度を前記セン
サで読み取ったセンサ値と前記基準画像を前記印刷媒体に印刷後前記印刷媒体上の前記基
準画像の濃度を測定した紙上濃度値との対応テーブルであるセンサ値−紙上濃度変換テー
ブルと、
前記センサ値と前記センサ値−紙上濃度変換テーブルに基づき前記スクリーンガンマテ
ーブルを補正する補正部と、
を有する画像形成システムにおいて、
前記画像形成システムは、前記センサ値−紙上濃度変換テーブルの更新要求により、
前記基準画像を前記感光体ドラム上に形成し、
前記センサ値を取得し、
前記基準画像を前記印刷媒体に印刷した後、
前記紙上濃度値を取得することにより、
前記センサ値と前記紙上濃度値から前記センサ値−紙上濃度変換テーブルを更新するセ
ンサ値−紙上濃度変換テーブル更新部を有する、
ことを特徴とする画像形成システム。
【請求項２】
画像データの各画素の入力階調値に対応する画像再生データをスクリーンガンマテーブ
ルに基づき出力するスクリーン処理部と、
前記画像再生データに従って感光体ドラム上に画像を形成し前記感光体ドラム上もしく
は中間転写媒体上の前記画像を印刷媒体に印刷する印刷エンジンと、
前記感光体ドラム上もしくは前記中間転写媒体上に形成された画像の濃度を読み取るセ
ンサと、
前記感光体ドラム上もしくは前記中間転写媒体上に形成した基準画像の濃度を前記セン
サで読み取ったセンサ値と前記基準画像を前記印刷媒体に印刷後前記印刷媒体上の前記基
準画像の濃度を測定した紙上濃度値との対応テーブルであるセンサ値−紙上濃度変換テー
ブルと、
前記センサ値と前記センサ値−紙上濃度変換テーブルに基づき前記スクリーンガンマテ
ーブルを補正する補正部と、
を有する画像形成システムの補正プログラムにおいて、
前記センサ値を取得するセンサ値取得工程と、
前記紙上濃度値を取得する紙上濃度値取得工程と、
前記センサ値と前記紙上濃度値から前記センサ値−紙上濃度変換テーブルを更新するセ
ンサ値−紙上濃度変換テーブル更新工程と、からなる、
ことを特徴とする画像形成システムの補正プログラム。
【発明の詳細な説明】
【技術分野】
【０００１】
本発明は、スクリーンガンマテーブルの補正機能を有する画像形成システム及び画像形
成システムの補正プログラムに関する。
【背景技術】
【０００２】
プリンタ、複写機、ファクシミリ受信装置などの画像形成システムは、入力された画像
データに対して所定の画像処理を行うプリンタコントローラと、プリンタコントローラが
生成する画像データに従って印刷媒体に画像を形成する印刷エンジンとから構成される。
このような画像形成システムでは、画像データの入力階調と印刷媒体における出力濃度と
が本来理想的なリニアな関係（入力階調と出力濃度とが一致する関係）にあるべきである
。
【０００３】
しかし、印刷エンジンの特性によりそのリニアな関係が崩れてしまう場合がある。同じ
入力階調でも、印刷エンジンによっては、出力濃度が濃くなったり、薄くなったりする。
そこで、従来から設計時または工場出荷時において入力階調に対する出力濃度の関係がリ
ニアな関係になるように、印刷エンジンのエンジン特性に応じて、プリンタコントローラ
の入力階調に対する画像再生データの関係（ガンマ特性）を予め設定していた。
【０００４】
ところが、印刷エンジンは、湿度、温度などの経時変化や環境変化により、その特性が
変化する。そのため、工場出荷時または設計時の理想的なリニアな関係に戻すため、ガン
マ特性を補正する必要があった。
【０００５】
この問題を解決するために、例えば特許文献１には、印刷エンジン内部の感光体ドラム
や中間転写媒体上に基準パッチ画像を形成し、その濃度をセンサにより読み取り、入力階
調値とセンサで読み取られた濃度値との関係から、スクリーンガンマテーブルのガンマ特
性を補正する方法が記載されている。スクリーンガンマテーブルのガンマ特性を補正する
には、基準パッチ画像をセンサで読み取った濃度値と、基準パッチ画像を紙に印刷し測色
計で濃度値を測定した紙上濃度値の対応テーブルであるセンサ値−紙上濃度変換テーブル
を設計時に用意する必要がある。
【０００６】
【特許文献１】特開２０００−５６５２５号公報
【発明の開示】
【発明が解決しようとする課題】
【０００７】
しかしながら、印刷エンジンには機体ばらつき等があるため、設計時に用意したセンサ
値−紙上濃度変換テーブルをすべての印刷エンジンに対応させてスクリーンガンマテーブ
ルの補正を行っても、印刷エンジン毎に設計時と同様な階調特性が得られない問題がある
。
【０００８】
本発明は、このような事情に鑑みてなされたものであり、機体ばらつき等によって階調
特性が設計時と異なってしまった印刷エンジンを設計時の階調特性に戻すことができる画
像形成システム及び画像形成システムの補正プログラムを提供することを目的とするもの
である。
【課題を解決するための手段】
【０００９】
上記課題を解決するために、本発明の画像形成システムでは、画像データの各画素の入
力階調値に対応する画像再生データをスクリーンガンマテーブルに基づき出力するスクリ
ーン処理部と、前記画像再生データに従って感光体ドラム上に画像を形成し前記感光体ド
ラム上もしくは中間転写媒体上の前記画像を印刷媒体に印刷する印刷エンジンと、前記感
光体ドラム上もしくは前記中間転写媒体上に形成された画像の濃度を読み取るセンサと、
前記感光体ドラム上もしくは前記中間転写媒体上に形成した基準画像の濃度を前記センサ
で読み取ったセンサ値と前記基準画像を前記印刷媒体に印刷後前記印刷媒体上の前記基準
画像の濃度を測定した紙上濃度値との対応テーブルであるセンサ値−紙上濃度変換テーブ
ルと、前記センサ値と前記センサ値−紙上濃度変換テーブルに基づき前記スクリーンガン
マテーブルを補正する補正部と、を有する画像形成システムにおいて、前記画像形成シス
テムは、前記センサ値−紙上濃度変換テーブルの更新要求により、前記基準画像を前記感
光体ドラム上に形成し、前記センサ値を取得し、前記基準画像を前記印刷媒体に印刷した
後、前記紙上濃度値を取得することにより、前記センサ値と前記紙上濃度値から前記セン
サ値−紙上濃度変換テーブルを更新するセンサ値−紙上濃度変換テーブル更新部を有する
、ことを要旨とする。
【００１０】
さらに、上記課題を解決するために、本発明の画像形成システムの補正プログラムでは
、画像データの各画素の入力階調値に対応する画像再生データをスクリーンガンマテーブ
ルに基づき出力するスクリーン処理部と、前記画像再生データに従って感光体ドラム上に
画像を形成し前記感光体ドラム上もしくは中間転写媒体上の前記画像を印刷媒体に印刷す
る印刷エンジンと、前記感光体ドラム上もしくは前記中間転写媒体上に形成された画像の
濃度を読み取るセンサと、前記感光体ドラム上もしくは前記中間転写媒体上に形成した基
準画像の濃度を前記センサで読み取ったセンサ値と前記基準画像を前記印刷媒体に印刷後
前記印刷媒体上の前記基準画像の濃度を測定した紙上濃度値との対応テーブルであるセン
サ値−紙上濃度変換テーブルと、前記センサ値と前記センサ値−紙上濃度変換テーブルに
基づき前記スクリーンガンマテーブルを補正する補正部と、を有する画像形成システムの
補正プログラムにおいて、前記センサ値を取得するセンサ値取得工程と、前記紙上濃度値
を取得する紙上濃度値取得工程と、前記センサ値と前記紙上濃度値から前記センサ値−紙
上濃度変換テーブルを更新するセンサ値−紙上濃度変換テーブル更新工程と、からなる、
ことを要旨とする。
【００１１】
この構成によれば、センサ値−紙上濃度変換テーブルを出荷後の画像形成システムにお
いて容易に再作成することができるので、出荷後の画像形成システムの階調特性を設計時
に想定した階調特性に戻すことができる。
【発明を実施するための最良の形態】
【００１２】
以下、本発明を具体化した実施形態について図面に従って説明する。
（第１実施形態）
【００１３】
＜プリンタの構成＞
まず、第１実施形態に係る画像形成システムの構成について、図１を参照して説明する
。図１は、本発明が適用される画像形成システムの一例を示す図である。画像形成システ
ムとしてプリンタ２０を例にして以下説明する。
【００１４】
図１に示すように、プリンタ２０はプリンタコントローラ３０と印刷エンジン５０とか
ら略構成され、ホストコンピュータ１０と接続される。
【００１５】
プリンタコントローラ３０は、プリンタコントローラ３０内の各部を制御するためのＣ
ＰＵ３１と、ホストコンピュータ１０にインストールされたプリンタドライバ１２からの
画像データを受信してプリンタ２０のトナーの色空間に変換して各画素所定の階調値から
なる画像データＳ３２を出力する入力ユニット３２と、その画像データＳ３２が格納され
るＲＡＭ３３と、画像データＳ３２をハーフトーン処理し画像再生データＳ３４を生成す
るスクリーン処理部３４と、スクリーン処理部３４により生成された画像再生データＳ３
４を駆動パルスデータＳ３５に変換するパルス幅変調部（ＰＷＭ：Pulse Width Modulati
on ）３５と、を有する。
【００１６】
また、プリンタコントローラ３０には、変換用のスクリーンガンマテーブル３７と、補
正ガンマテーブル３８、及びセンサ値−紙上濃度変換テーブルである正規化センサ値−正
規化紙上濃度変換テーブル３９を保持するＥＥＰＲＯＭ（Electronically Erasable and 
Programmable Read Only Memory）３６を有する。
【００１７】
印刷エンジン５０は、印刷エンジン５０内の各部を制御するエンジンコントローラ５１
と、エンジンコントローラ５１の制御によりレーザー光線を発光するレーザーダイオード
（ＬＤ：Laser Diode）５２と、レーザーダイオード５２からのレーザー光線の照射によ
り潜像が形成されてトナーの付着によりその潜像が現像される感光体ドラム５３と、感光
体ドラム５３上に形成された基準画像である基準パッチ画像５４の出力濃度をセンサ値５
６として検出するセンサ５５と、を有する。なお、基準パッチ画像５４は感光体ドラム５
３上に形成された画像が一旦転写される中間転写体に形成され、センサ５５が中間転写体
上の基準パッチ画像５４の出力濃度を検出するようにしてもよい。
【００１８】
スクリーンガンマテーブル３７は、印刷エンジン５０の経時変化や環境変化に対応して
補正される。この補正は、ＲＯＭに格納された補正プログラム４０をＣＰＵ３１が読み出
して実行される。
【００１９】
＜補正プログラムの動作＞
ここで、図２と図３を参照して補正プログラム４０の動作を説明する。図２は、補正プ
ログラム４０の動作を説明するフローチャート図である。プリンタ２０は、所定の枚数が
印刷された時点やユーザーからの指示に応じて補正プログラム４０をＣＰＵ３１が読み出
して実行する。また、基準パッチ画像５４は、入力階調値として０〜２５５の２５６階調
で構成されているものとする。
【００２０】
先ず、ステップＳ１００では、ＣＰＵ３１は、感光体ドラム５３上に基準パッチ画像５
４を形成させる。
【００２１】
次に、ステップＳ１０２では、ＣＰＵ３１は、感光体ドラム５３上に形成した基準パッ
チ画像５４の出力濃度をセンサ５５に検出させ、入力階調値０〜２５５に対応するセンサ
値５６を取得する。
【００２２】
次に、ステップＳ１０４では、センサ値５６を正規化し、正規化センサ値を求める。こ
こで、正規化センサ値とは、印刷エンジン５０によってはセンサ値５６が、純白＝０、ベ
タ黒＝２５５とならない場合があるので、基準パッチ画像５４の純白部分のセンサ値を純
白生値、ベタ黒部分のセンサ値をベタ黒生値、個々の注目するセンサ値を注目センサ生値
、とした場合、次の式（１）によって求められる。
正規化センサ値＝２５５×（注目センサ生値−純白生値）／（ベタ黒生値−純白生
値）      ・・・（１）
【００２３】
図３（Ａ）は、入力階調値と正規化センサ値の対応を示すグラフ図である。図３（Ａ）
に示すように、入力階調値ａ１に対応する正規化センサ値はａ２、入力階調値ｂ１に対応
する正規化センサ値はｂ２、入力階調値ｃ１に対応する正規化センサ値はｃ２、などのよ
うになる。
【００２４】
次に、ステップＳ１０６では、正規化センサ値−正規化紙上濃度変換テーブル３９から
入力階調値に対応する正規化紙上濃度値を求める。正規化センサ値−正規化紙上濃度変換
テーブル３９は、基準パッチ画像をセンサで読み取った濃度値を正規化した正規化センサ
値と、基準パッチ画像を紙に印刷し測色計で濃度値を測定した紙上濃度値を正規化した正
規化紙上濃度値の対応テーブルであり、印刷エンジン５０の設計段階で最適化された値に
基づき、製造時にプリンタ２０のＥＥＰＲＯＭ３６に書き込まれている。
【００２５】
図３（Ｂ）は、正規化センサ値と正規化紙上濃度値の対応を示すグラフ図である。図３
（Ｂ）に示すように、正規化センサ値ａ２に対応する正規化紙上濃度値はａ３、正規化セ
ンサ値ｂ２に対応する正規化紙上濃度値はｂ３、正規化センサ値ｃ２に対応する正規化紙
上濃度値はｃ３、などのようになる。
【００２６】
図３（Ａ）及び図３（Ｂ）に基づき、入力階調値に対応する正規化紙上濃度値を求める
ことができる。即ち、入力階調値ａ１に対応する正規化紙上濃度値はａ３、入力階調値ｂ
１に対応する正規化紙上濃度値はｂ３、入力階調値ｃ１に対応する正規化紙上濃度値はｃ
３、などのようになる。
【００２７】
次に、ステップＳ１０８では、入力階調値に対応する補正ガンマテーブル入力階調値を
求める。図３（Ｃ）は、補正後の理想濃度特性を表しており、補正ガンマテーブル入力階
調値と正規化紙上濃度値の対応を示すグラフである。図３（Ｃ）に示すように、補正ガン
マテーブル入力階調値ａ４に対応する正規化紙上濃度値はａ３、補正ガンマテーブル入力
階調値ｂ４に対応する正規化紙上濃度値はｂ３、補正ガンマテーブル入力階調値ｃ４に対
応する正規化紙上濃度値はｃ３、などのようになる。
【００２８】
図３（Ａ）、図３（Ｂ）および図３（Ｃ）に基づき、入力階調値と補正ガンマテーブル
入力階調値の関係は、図３（Ｄ）のように求めることができる。図３（Ｄ）は、補正ガン
マテーブルを示すグラフ図である。図３（Ｄ）に示すように、補正ガンマテーブル入力階
調値ａ４に対応する（補正前）入力階調値はａ１、補正ガンマテーブル入力階調値ｂ４に
対応する（補正前）入力階調値はｂ１、補正ガンマテーブル入力階調値ｃ４に対応する（
補正前）入力階調値はｃ１、などのようになる。
【００２９】
次に、ステップＳ１１０では、図３（Ｄ）の補正ガンマテーブルに基づき、オリジナル
ガンマテーブル階調値からスクリーンガンマテーブルを再構成する。図４は、スクリーン
ガンマテーブルの再構成を説明するグラフ図である。
【００３０】
図４において、補正ガンマテーブル階調値をｉ、オリジナルガンマテーブルのパルス幅
をＰ［ｉ］、階調値ｉにおける補正ガンマテーブル階調値をＡ［ｉ］とすると、階調値ｉ
における再構成後のスクリーンガンマテーブルのパルス幅ＰＡ［ｉ］は、次の式（２）に
より求められる。
ＰＡ［ｉ］＝（Ｐ［Ｃ＋１］−Ｐ［Ｃ］）×（Ａ［ｉ］−Ｃ）＋Ｐ［Ｃ］      ・
・・（２）
ただし、Ｃ＝ＩＮＴ（Ａ［ｉ］）    （０≦ｉ≦２５５）
【００３１】
＜正規化センサ値−正規化紙上濃度変換テーブルの更新＞
次に、図５を参照して正規化センサ値−正規化紙上濃度変換テーブルの更新について説
明する。図５は、正規化センサ値−正規化紙上濃度変換テーブルの更新を説明するプリン
タの構成図である。本実施形態では、ホストコンピュータ１０にセンサ値−紙上濃度変換
テーブル更新部である正規化センサ値−正規化紙上濃度変換テーブル更新部４１がある場
合について説明する。
【００３２】
ホストコンピュータ１０から、正規化センサ値−正規化紙上濃度変換テーブル３９の更
新をするための指示がプリンタ２０に送信されると、感光体ドラム５３に基準パッチ画像
５４が形成され、センサ５５によりセンサ値５６が読み取られる。センサ値５６は、ホス
トコンピュータ１０に転送される。感光体ドラム５３に形成された基準パッチ画像５４は
、紙６０に印刷され、測色計６１により紙６０に印刷された基準パッチ画像５４の紙上濃
度値６２を測定し、ホストコンピュータ１０に入力される。
【００３３】
ホストコンピュータ１０に紙上濃度値６２を入力する方法は、ユーザーが測色計６１か
ら読み取った紙上濃度値６２をキーボードで入力してもよいし、測色計６１とホストコン
ピュータ１０をＵＳＢ（Universal Serial Bus）などで接続し、紙上濃度値６２を転送す
るようにしてもよい。
【００３４】
ホストコンピュータ１０は、センサ値５６と紙上濃度値６２がそろった時点で、正規化
センサ値−正規化紙上濃度変換テーブル３９を生成し、プリンタ２０のＥＥＰＲＯＭ３６
に転送する。
【００３５】
次に、基準パッチ画像について図６を参照して説明する。図６は、基準パッチ画像を説
明する概略図である。
【００３６】
基準パッチ画像５４は、０〜２５５の２５６階調のうち１５階調間隔でＣＭＹＫ各色の
１７点のパッチで構成される。即ち、図６の左から０、１５、３１、４７、６３、・・・
、２０７、２２３、２３９、２５５階調の１７点のパッチでそれぞれ構成される。これら
の基準パッチ画像５４を測色計６１で読み取り、それぞれのパッチの紙上濃度値６２をホ
ストコンピュータ１０に入力する。
【００３７】
次に、図７を参照して正規化センサ値−正規化紙上濃度変換テーブルの更新方法につい
て説明する。図７は、正規化センサ値−正規化紙上濃度変換テーブルの更新方法を説明す
るフローチャート図である。
【００３８】
先ず、ステップＳ２００では、ホストコンピュータ１０からの指示により、感光体ドラ
ム５３に基準パッチ画像５４が形成される。
【００３９】
次に、ステップＳ２０２では、感光体ドラム５３に形成された基準パッチ画像５４の濃
度値をセンサ５５により読み取り、センサ値５６をホストコンピュータ１０に転送する。
【００４０】
次に、ステップＳ２０４では、ホストコンピュータ１０は、転送されたセンサ値５６を
正規化する。
【００４１】
次に、ステップＳ２０６では、プリンタ２０は、感光体ドラム５３に形成された基準パ
ッチ画像５４を紙６０に印刷する。
【００４２】
次に、ステップＳ２０８では、紙６０に印刷された基準パッチ画像５４を測色計６１で
読み取り、ステップＳ２１０では、紙上濃度値６２をホストコンピュータ１０にキーボー
ドなどで入力する。
【００４３】
次に、ステップＳ２１２では、ホストコンピュータ１０は、入力された紙上濃度値６２
を正規化する。
【００４４】
次に、ステップＳ２１４では、正規化センサ値と正規化紙上濃度値から正規化センサ値
−正規化紙上濃度変換テーブル３９を生成する。図８は、正規化センサ値−正規化紙上濃
度変換テーブル３９を説明するグラフ図である。基準パッチ画像５４の１７点の正規化紙
上濃度値から補間して０〜２５５階調の正規化センサ値−正規化紙上濃度変換テーブル３
９を生成する。
【００４５】
次に、ステップＳ２１６では、ホストコンピュータ１０は、正規化センサ値−正規化紙
上濃度変換テーブル３９をプリンタ２０のＥＥＰＲＯＭ３６に転送する。
【００４６】
以上に述べた前記実施形態によれば、以下の効果が得られる。
【００４７】
本実施形態では、正規化センサ値−正規化紙上濃度変換テーブル３９を出荷後のプリン
タ２０において容易に再作成することができるので、出荷後のプリンタ２０の階調特性を
設計時に想定した階調特性に戻すことができる。
【００４８】
以上、本発明の実施形態を説明したが、本発明はこうした実施の形態に何ら限定される
ものではなく、本発明の趣旨を逸脱しない範囲内において様々な形態で実施し得ることが
できる。以下、変形例を挙げて説明する。
【００４９】
（変形例１）本発明に係る画像形成システムの第１変形例について説明する。前記第１
実施形態では、測色計６１により紙６０に印刷された基準パッチ画像５４を読み取り、ホ
ストコンピュータ１０にキーボードなどで入力する場合について説明したが、測色計６１
としてスキャナがプリンタ２０と一体化された複合機であれば、正規化センサ値−正規化
紙上濃度変換テーブル３９を再作成する一連の作業を１つのシステム上で行うことができ
、作業が容易になる。また、基準パッチ画像５４として図６のように１７点に限定しなく
ても２５６点すべてのパッチで構成しても、本変形例１の構成によれば容易に測色でき、
より正確な正規化センサ値−正規化紙上濃度変換テーブル３９を生成することができる。
【図面の簡単な説明】
【００５０】
【図１】本発明が適用されるプリンタの構成図。
【図２】補正プログラムの動作を説明するフローチャート図。
【図３】（Ａ）は入力階調値と正規化センサ値の対応を示すグラフ図、（Ｂ）は正規化センサ値と正規化紙上濃度値の対応を示すグラフ図、（Ｃ）は正規化紙上濃度値と補正後入力階調値の対応を示すグラフ図、（Ｄ）は補正ガンマテーブルを示すグラフ図。
【図４】スクリーンガンマテーブルの再構成を説明するグラフ図。
【図５】正規化センサ値−正規化紙上濃度変換テーブルの更新を説明するプリンタの構成図。
【図６】基準パッチ画像を説明する概略図。
【図７】正規化センサ値−正規化紙上濃度変換テーブルの更新方法を説明するフローチャート図。
【図８】正規化センサ値−正規化紙上濃度変換テーブルを説明するグラフ図。
【符号の説明】
【００５１】
１０…ホストコンピュータ、１２…プリンタドライバ、２０…プリンタ、３０…プリン
タコントローラ、３１…ＣＰＵ、３２…入力ユニット、３３…ＲＡＭ、３４…スクリーン
処理部、３５…ＰＷＭ、３６…ＥＥＰＲＯＭ、３７…スクリーンガンマテーブル、３８…
補正ガンマテーブル、３９…正規化センサ値−正規化紙上濃度変換テーブル、４０…補正
プログラム、４１…正規化センサ値−正規化紙上濃度変換テーブル更新部、５０…印刷エ
ンジン、５１…エンジンコントローラ、５２…ＬＤ、５３…感光体ドラム、５４…基準パ
ッチ画像、５５…センサ、５６…センサ値、６０…紙、６１…測色計、６２…紙上濃度値
。
【図１】
2007259188.tif 000003
【図２】
2007259188.tif 000004
【図３】
2007259188.tif 000005
【図４】
2007259188.tif 000006
【図５】
2007259188.tif 000007
【図７】
2007259188.tif 000008
【図８】
2007259188.tif 000009
【図６】
2007259188.tif 000010